(57)【要約】【課題】プロジェクト管理システムとスケジュール管理システムを連携させることによって、両者の各々にアクセスしなければならなかったユーザの手間を軽減する。【解決手段】プロジェクト管理システム１０５は、作業予定データと対応づけて会議ＩＤを設定し、両者を作業予定データベース１０８に登録する。また会議情報をスケジュール管理システム１０６に伝達して会議の予約処理を起動する。スケジュール管理システム１０６は、会議施設及び参加メンバの予約を行い、会議に関する予約データをスケジュールデータベース１１１に登録する。また事前資料又は議事録を受け取り、文書管理システム１０７に登録するとともに、予約データと対応づけて事前資料ＩＤ及び議事録ＩＤをスケジュールデータベース１１１に登録する。【選択図】図１
2004062740.tif 000002
【特許請求の範囲】
【請求項１】
プロジェクトを構成する作業の作業予定データと対応づけて当該作業に関連して開催する会議の識別子を記憶手段に設定し、会議の会議識別子、開催日、時間及び参加メンバを含む会議情報をスケジュール管理手段へ伝達して会議予約処理を起動し、
前記スケジュール管理手段によって前記会議情報中の前記開催日、前記時間及び前記参加メンバに基づいて会議施設の予約を行い、前記会議識別子、前記開催日、予約した時間帯、前記参加メンバ及び予約した前記会議施設を含むスケジュールデータを作成して記憶手段に登録し、前記スケジュールデータと対応づけて事前資料の識別子及び会議議事録の識別子を設定することを特徴とするスケジュール管理方法。
【請求項２】
前記参加メンバに含まれる参加者名の指定を受けて前記スケジュールデータから該当するスケジュールデータの前記会議識別子を取得し、前記会議識別子を介して該当する前記作業予定データを取得することを特徴とする請求項１記載のスケジュール管理方法。
【請求項３】
前記開催日に依存するタイミングで前記事前資料の作成及び前記会議議事録の作成をクライアント計算機に要求することを特徴とする請求項１記載のスケジュール管理方法。
【請求項４】
プロジェクト管理手段とスケジュール管理手段とが連携するシステムであって、
前記プロジェクト管理手段は、プロジェクトを構成する作業の作業予定データと対応づけて当該作業に関連して開催する会議の識別子を記憶手段に設定する手段と、会議の会議識別子、開催日、時間及び参加メンバを含む会議情報を前記スケジュール管理手段へ伝達して会議予約処理を起動する手段とを有し、
前記スケジュール管理手段は、前記会議情報中の前記開催日、前記時間及び前記参加メンバに基づいて会議施設を予約する手段と、前記会議識別子、前記開催日、予約した時間帯、前記参加メンバ及び予約した前記会議施設を含むスケジュールデータを作成して記憶手段に登録する手段と、前記スケジュールデータと対応づけて事前資料の識別子及び会議議事録の識別子を設定する手段とを有することを特徴とするスケジュール管理システム。
【請求項５】
前記スケジュール管理手段は、さらに前記参加メンバに含まれる参加者名の指定を受けて前記スケジュールデータから該当するスケジュールデータの前記会議識別子を取得する手段と、前記会議識別子を介して該当する前記作業予定データを取得する手段とを有することを特徴とする請求項４記載のスケジュール管理システム。
【発明の詳細な説明】
【０００１】
【発明の属する技術分野】
本発明は、スケジュール管理技術に係わり、特にプロジェクト管理技術と連携するスケジュール管理技術に関する。
【０００２】
【従来の技術】
スケジュール管理技術として、例えば特開２０００−３１５２２８号公報に記載のように、プロジェクトメンバのスケジュールを登録して管理するとともに、スケジュールデータに付与されたスケジュールＩＤと、このスケジュールデータに関連する文書とを関連付けて管理するデータ処理手段を備えたスケジュール管理システムがある。
【０００３】
【発明が解決しようとする課題】
従来スケジュール管理システムとプロジェクト管理システムとは、別々のシステムとして構築されている。そのためにプロジェクト管理システムで作業工程を進めるために必要な会議を設定した後に、スケジュール管理システムでその会議を開催するための参加メンバと会議室の予約を行う手間が必要であった。また会議名や会議参加者名を基にして関連する作業工程についての情報を引き出すのが容易ではなかった。またこの会議に伴って事前に配布するための会議資料や会議後の議事録が作成されるが、これら会議資料や議事録を文書管理システムを介して別途登録したり参照しなければならないという問題があった。さらに会議の開催日に合わせて事前会議資料や議事録の作成を参加メンバに促すような配慮がされていなかった。
【０００４】
本発明の目的は、プロジェクト管理とスケジュール管理とを連携させることによって上記問題点を解決することにある。
【０００５】
【課題を解決するための手段】
本発明は、プロジェクトを構成する作業の作業予定データと対応づけて当該作業に関連して開催する会議の識別子を記憶手段に設定し、会議の会議識別子、開催日、時間及び参加メンバを含む会議情報をスケジュール管理手段へ伝達して会議予約処理を起動し、スケジュール管理手段によって会議情報中の開催日、時間及び参加メンバに基づいて会議施設の予約を行い、会議識別子、開催日、予約した時間帯、参加メンバ及び予約した会議施設を含むスケジュールデータを作成して記憶手段に登録し、このスケジュールデータと対応づけて事前資料の識別子及び会議議事録の識別子を設定するスケジュール管理技術を特徴とする。
【０００６】
【発明の実施の形態】
以下本発明の実施形態について図面を用いて詳細に説明する。
【０００７】
図１は本発明の一実施例を示すシステム構成図である。１０１はプロジェクト管理を行うプロジェクト管理者（Ｕ００４）であり、装置としてクライアント計算機が対応する。１０２はプロジェクトメンバのうちの作業担当者（Ｕ００１）であり、装置としてクライアント計算機が対応する。１０３、１０４はプロジェクトメンバ（Ｕ００２、Ｕ００３）であり、各々クライアント計算機が対応する。１０５はプロジェクト管理システム、１０６はスケジュール管理システム、１０７は文書管理システムであり、１つ又は複数のサーバ計算機上に展開される。１０８はプロジェクト管理システム１０５内にあり、プロジェクト管理者１０１が送信する作業予定データ１１３を格納する作業予定データベースである。１０９はプロジェクト管理者１０１が送信する会議予定データ１１４および会議メンバデータ１１５を格納する会議情報データベースである。１１０はシステムに登録されたユーザや施設の情報を管理するユーザ・施設管理データベースである。１１１は会議に関するスケジュールデータを格納するスケジュールデータベースである。１１２は会議開催に伴い作業担当者１０２が作成する事前資料および会議終了後の議事録を登録する文書データベースである。上記データベースは、すべて記憶装置上に格納される。
【０００８】
プロジェクト管理システム１０５の作業予定管理部１２０は、作業予定データ１１３、会議予約データ１１４および会議メンバデータ１１５を受信して、作業予定データを作業予定データベース１０８に登録し、会議予定データを会議情報データベース１０９に登録する。また作業予定管理部１２０は、作業予定データベース１０８及び会議情報データベース１０９に対する検索要求に対して応答する。プロジェクト情報管理部１１９は、スケジュール管理連携部１１８を介してスケジュール管理システム１０６のユーザ・施設情報管理データベース１１０にアクセスする。スケジュール管理連携部１１８は、スケジュール管理システム１０６と通信する機能を有する。
【０００９】
スケジュール管理システム１０６のユーザ・施設管理部１２１は、ユーザ・施設情報管理データベース１１０に対するデータの登録、更新、参照要求に対して応答する。予約実行・管理部１２２は、会議開催に関する予約データを作成してスケジュールデータベース１１１に登録する。また予約実行・管理部１２２は、会議の事前資料送信を作業担当者１０２に要求し、受信した事前資料を文書データベース１１２に登録するために文書管理システム１０７にアクセスする。また予約実行・管理部１２２は、会議開催後の議事録を作成するためのテンプレートを取得するために文書管理システム１０７にアクセスし、議事録送信を作業担当者１０２に要求し、受信した議事録を文書データベース１１２に登録するために文書管理システム１０７にアクセスする。また予約実行・管理部１２２は、クライアントからの要求に応答して、スケジュールデータベース１１１を検索して要求されたスケジュールデータをクライアントに送信する。また予約実行・管理部１２２は、文書データ又は作業予定データの要求に応答して、プロジェクト管理システム１０５又は文書管理システム１０７にアクセスし、これらデータの取得を仲介する。スケジュール調整部１２３は、ユーザ・施設情報管理データベース１１０にアクセスし、会議に使用する施設と会議参加メンバの空き時間を探索する。プロジェクト管理連携部１２４は、プロジェクト管理システム１０５と通信する機能を有する。文書管理連携部１２５は、文書管理システム１０７と通信する機能を有する。
【００１０】
文書管理システム１０７の文書管理部１２７は、文書データベース１１２に対する文書データの登録、更新、参照要求に対して応答する。テンプレート作成部１２８は、与えられた会議情報から議事録のテンプレートを作成する。スケジュール管理連携部１２６は、スケジュール管理システム１０６と通信する機能を有する。
【００１１】
図２は、ユーザ・施設情報データベース１１０で管理されるユーザ情報のデータ構成の例を示す図である。ユーザ・施設情報データベース内の各ユーザ情報データは、作業者名２０１、ＩＤ２０２、そのユーザの個人スケジュールなどで構成される。作業予定データを作成するとき、登録されたプロジェクトメンバの氏名に対するユーザＩＤが参照される。また会議議事録を作成するとき、ユーザＩＤに対応する氏名が参照される。
【００１２】
図３は、ユーザ・施設情報データベース１１０で管理される施設情報のデータ構成の例を示す図である。ユーザ・施設情報データベース１１０内の各施設情報は、施設名３０１、ＩＤ３０２、その施設の利用状況（利用日、時間帯）などで構成される。本発明は会議のための施設を扱うから、施設は通常会議室である。会議議事録を作成するとき、施設ＩＤに対応する施設名が参照される。
【００１３】
図４は、作業予定データベース１０８のデータ構成の例を示す図である。各作業予定データは、作業ＩＤ４０１、作業名４０２、開始日４０３、作業日数４０４、作業担当者４０５、会議ＩＤ４０６、状況４０７などで構成される。作業ＩＤ４０１及び会議ＩＤ４０６は作業予定管理部１０８で付加される。会議開催の必要がない作業の場合は会議ＩＤ４０６に「−」が登録される。状況４０７には最初「未」が登録されるが、その作業が完了すると「完了」となる。作業予定データは、作業予定データ１１３に基づいて作成される。
【００１４】
図５は、会議情報データベース１０９のデータ構成の例を示す図である。会議情報データベース１０９内の各会議予定データは、会議ＩＤ５０１、会議名５０２、開催日５０３、開催時間５０４、作業担当者５０５、参加メンバ５０６、状況５０７などで構成される。状況５０７には最初「未」が登録されるが、その会議が終了すると「完了」となる。会議予定データは、会議予定データ１１４と会議メンバデータ１１５に基づいて作成される。
【００１５】
図６は、スケジュールデータベース１１１のデータ構成の例を示す図である。各スケジュールデータは、会議名６０１、会議ＩＤ６０２、開催日６０３、開催時間６０４、予約者６０５、予約メンバ６０６、施設６０７、事前資料ＩＤ６０８、議事録ＩＤ６０９などで構成される。予約データの開催時間６０４は、予約者、予約メンバ及び施設の空き時間帯の一致するものである。予約者６０５には、作業担当者５０５が設定される。予約メンバ６０６は、参加メンバ５０６から設定される。スケジュールデータのうち、会議名６０１から施設６０７までが予約データであり、事前資料ＩＤ６０８と議事録ＩＤ６０９はそれぞれ事前資料及び議事録が登録されるとき設定される。
【００１６】
図７は、文書データベース１１２のデータ構成の例を示す図である。各文書管理データは、文書ＩＤ７０１、登録者７０２、登録日７０３、文書名７０４などからなる。文書ＩＤ７０１には事前資料ＩＤ６０８あるいは議事録ＩＤ６０９が設定される。登録者７０２には予約者６０５が設定され、文書名７０４には、文書データのファイル名が設定される。
【００１７】
図８は、議事録テンプレートの例を示す図である。［］で区切られた見出し情報は固定情報である。「企画会議」から「山田」までの可変情報は、それぞれ会議名６０１、開催日６０３、開催時間６０４、施設６０７、予約メンバ６０６、予約者６０５から自動生成される。
［目的］［議事内容］及び［今後の予定］の内容は、議事録作成者によって作成されるものである。
【００１８】
次にプロジェクト管理システム１０５がプロジェクト管理者１０１から作業予定データ１１３などのデータを受け取り、作業予定データベース１０８及び会議情報データベース１０９を作成するプログラムの処理手順について図９のフローチャートを用いて説明する。まずプロジェクト管理者１０１が作業予定データ１１３、会議予定データ１１４及び会議メンバデータ１１５をプロジェクト管理システム１０５の作業予定管理部１２０に送る。作業予定管理部１２０は、作業予定データ１１３、会議予定データ１１４及び会議メンバデータ１１５を順に受信する（ステップ９０１、９０２、９０３）。次に当該作業予定データについて作業ＩＤを取得し（ステップ９０４）、さらに当該会議予定データについて会議ＩＤを取得する（ステップ９０５）。プロジェクト情報管理部１１９は、スケジュール管理連携部１１８を介してスケジュール管理システム１０６のユーザ・施設管理データベース１１０から作業担当者、会議参加メンバの氏名に対するユーザＩＤを取得し（ステップ９０６）、それらの情報をそれぞれ作業予定データベース１０８および会議情報データベース１０９に登録する（ステップ９０７）。
【００１９】
ここで予定データが図４の作業ＩＤＳ００１のデータとすると、作業名は作業１、作業開始日は２００２／３／８、作業日数は４日、作業担当者は山田すなわちスケジュール管理システム１０６のユーザ・施設情報データベース１１０からユーザＩＤがＵ００１と設定される。またその作業に必要な会議については、会議ＩＤＫ００１と登録される。また状況は最初「未」と設定される。会議予定データについては、先に求められた会議ＩＤに対して図５の会議ＩＤＫ００１のデータとして登録される。すなわち会議名は「企画会議」、開催日２００２／３／１１、開催時間１時間、作業担当者はＵ００１（山田）、参加メンバは、佐藤、田中、鈴木の３人すなわちスケジュール管理システム１０６のユーザ・施設情報データベース１１０からそれぞれのユーザＩＤがＵ００２、Ｕ００３、Ｕ００４と設定される。また、状況は最初「未」と設定される。
【００２０】
次にプロジェクト管理システム１０５の会議情報データベース１０９に登録された情報から、スケジュール管理システム１０６の予約実行・管理部１２２が予約データを作成するプログラムの処理手順について図１０のフローチャートを用いて説明する。会議情報データベース１０９に登録されたデータの例として図５の会議ＩＤＫ００１のデータを利用する。まずプロジェクト管理システム１０５の作業予定管理部１２０は、会議情報データベース１０９に会議予定データが格納されているか否か判定する（ステップ１００１）。会議予定データが存在しない場合には処理を終了する。
【００２１】
会議予定データが存在している場合、例えば図５の会議ＩＤＫ００１のデータとすると、そのデータから会議ＩＤＫ００１、会議名「企画会議」、開催日２００２／３／１１、開催時間１時間、作業担当者Ｕ００１、参加メンバＵ００２、Ｕ００３、Ｕ００４を取得し、スケジュール管理連携部１１８を通してスケジュール管理システム１０６に送る（ステップ１００２）。スケジュール管理システム１０６のスケジュール調整部１２３は、作業担当者Ｕ００１を予約者、参加メンバＵ００２、Ｕ００３、Ｕ００４を被予約者とし、開催日２００２／３／１１に１時間のスケジュールの空きがあるかどうかユーザ・施設管理データベース１１０のユーザ情報及び施設情報を検索する（ステップ１００３）。予約者及び参加メンバの一致する空き時間帯を基にして会議に使用できる施設の空き時間帯を検索する。この例では、開催時間が１０：００〜１１：００に施設ＩＤＳ００１の施設を利用可能であると検索されたことになる。ここで予約者、参加メンバ及び施設の空き時間を検索する手段としては、特開平１０−９１６８５号公報の多段階空き時間検索システムが利用可能である。次に予約実行・管理部１２２は、先に取得した会議名「企画会議」などの情報と検索の結果取得した開催時間１０：００〜１１：００に施設ＩＤＳ００１を含めて予約データを作成する（ステップ１００４）。この例では、図６の会議名６０１から施設６０７までのデータが予約データである。次に予約実行・管理部１２２は、作成された予約データをスケジュールデータベース１１１に登録し、予約者及び参加メンバに予約データを通知する（ステップ１００５）。
【００２２】
次にスケジュール管理システム１０６の予約実行・管理部１２２が作業担当者１０２に事前資料の登録を要求し、それを文書管理システム１０７が文書データベース１１２に登録するプログラムの処理手順について図１１のフローチャートを用いて説明する。まずスケジュール管理システム１０６の予約実行・管理部１２２は、スケジュールデータベース１１１を検索して予約データの予約日が７日以内の後に設定されたデータが存在するかどうか判定する（ステップ１１０１）。ここでは図６の会議ＩＤＫ００１が該当したとする。次に当該予約データの予約者すなわち作業担当者１０２のＵ００１に対して、該当する予約データを送り事前資料登録を要求する（ステップ１１０２）。作業担当者（Ｕ００１）は、要求を受け、予約データとともに事前資料を送信する（ステップ１１０３）。予約実行・管理部１２２は、文書管理連携部１２５を介して文書管理システム１０７にアクセスし、文書管理部１２７を通じて事前資料について文書ＩＤを取得し（ステップ１１０４）、スケジュールデータベース１１１の該当するスケジュールデータに文書ＩＤすなわちＢ００１を登録する（ステップ１１０５）。受信した予約データを再登録してもよい。次に取得した文書ＩＤＢ００１、作業担当者すなわち予約者Ｕ００１、事前資料（ファイル名「企画資料」）を文書管理システム１０７のスケジュール管理連携部１２６を介して文書管理部１２７に送り、文書管理部１２７は文書データを作成し、文書データベース１１２に登録する（ステップ１１０６、１１０７）。登録されたデータは図７の文書ＩＤＢ００１のデータとなる。更にスケジュール管理システム１０６は、事前資料登録完了を会議参加者すなわちＵ００２、Ｕ００３、Ｕ００４に通知する（ステップ１１０８）。会議参加者は、文書管理システム１０７の文書データベース１１２にアクセスし、登録された事前資料を参照することができる。
【００２３】
次にスケジュール管理システム１０６の予約実行・管理部１２２が作業担当者１０２に議事録の登録を要求し、それを文書管理システム１０７が文書データベース１１２に登録するプログラムの処理手順について図１２のフローチャートを用いて説明する。まずスケジュール管理システム１０６の予約実行・管理部１２２は、スケジュールデータを参照して処理当日が会議開催日に設定されたデータが存在するかどうか判定する（ステップ１２０１）。ここでは図６の会議ＩＤＫ００１が該当したとする。次に当該予約データの予約者すなわち作業担当者のユーザＩＤＵ００１からユーザ・施設管理部１２１を介してユーザ・施設管理データベース１１０から山田という氏名を取得する。また予約メンバすなわち会議参加メンバＵ００２、Ｕ００３、Ｕ００４に対しても同様に佐藤、田中、鈴木という氏名を取得する。さらに施設ＩＤＳ００１についても同様に施設Ａという施設名を取得し、文書管理システム１０７のスケジュール管理連携部１２６を介して、テンプレート作成部１２８に送付する。受信したテンプレート作成部１２８はそれらのデータから議事録のテンプレートを作成する（ステップ１２０２）。図８がその例である。
【００２４】
次に当該予約データの予約者すなわち作業担当者１０２のＵ００１に対して、予約データ及び議事録テンプレートを送り議事録登録を要求する（ステップ１２０３）。作業担当者（Ｕ００１）は、要求を受け議事録を作成して予約データとともに送信する（ステップ１２０４）。予約実行・管理部１２２は、受信した議事録について文書管理システム１０７を介して文書ＩＤを取得し（ステップ１２０５）、スケジュールデータベース１１１の該当するスケジュールデータに文書ＩＤすなわちＢ００６を登録する（ステップ１２０６）。受信した予約データを再登録してもよい。次に取得した文書ＩＤＢ００６、作業担当者すなわち予約者Ｕ００１、議事録（ファイル名「企画会議議事録」）を文書管理システム１０７のスケジュール管理連携部１２６を介して文書管理部１２７に送り、文書管理部１２７は文書データを作成し、文書データベース１１２に登録する（ステップ１２０７、１２０８）。登録されたデータは図７の文書ＩＤＢ００６のデータとなる。更にスケジュール管理システム１０６は、議事録登録完了を会議参加者すなわちＵ００２、Ｕ００３、Ｕ００４について通知する（ステップ１２０９）。会議参加者は、文書管理システム１０７の文書データベース１１２にアクセスし、登録された会議議事録を参照することができる。
【００２５】
次にプロジェクト管理システム１０５の作業予定管理部１２０は、会議ＩＤＫ００１に基づいて会議情報データベース１０９を検索し、該当する会議予定データの状況５０７を「完了」に設定する（ステップ１２１０）。また作業が終了したとき、作業担当者１０２からの指示により、作業予定管理部１２０は、作業予定データベース１０８を検索し、該当する作業の状況４０７に「完了」を設定する。すなわち図４の作業ＩＤＳ００１のデータが更新される。
【００２６】
次に登録された作業予定及び文書を検索するプログラムの処理手順について図１３のフローチャートを用いて説明する。まずスケジュール管理システム１０６の予約実行・管理部１２２は、クライアントから会議名、作業名、文書名、作業担当者（会議参加者名）、日付などの検索条件を受信する（ステップ１３０１）。その条件でスケジュールデータベース１１１を検索し（ステップ１３０２）、検索結果をクライアントに送信する（ステップ１３０３）。クライアントから登録文書の参照要求があれば（ステップ１３０４ｙｅｓ）、スケジュールデータの文書ＩＤから文書管理システム１０７の文書データベース１１２を検索し、文書を取得する（ステップ１３０５）。さらにクライアントから作業予定データの参照要求があれば（ステップ１３０６ｙｅｓ）、スケジュールデータの会議ＩＤからプロジェクト管理システム１０６の作業予定データベース１０８を検索し、作業ＩＤを取得する（ステップ１３０７）、さらにその作業ＩＤの作業予定データを取得する（ステップ１３０８）。例えばクライアントからの検索条件が会議名「企画会議」であれば、検索されるスケジュールデータは図６の会議ＩＤＫ００１のデータとなる。さらに取得される文書は、図７の文書ＩＤＢ００１の「企画資料」と文書ＩＤＢ００６の「企画会議議事録」となり、取得される作業予定データは、図４の作業ＩＤＳ００１をもつデータとなる。
【００２７】
【発明の効果】
以上述べたように本発明によれば、プロジェクト管理とスケジュール管理を連携させることによって、プロジェクト管理システムで会議を設定した後に自動的にその会議に必要な会議施設と参加メンバの予約が行われる。またユーザは、スケジュール管理システムに入り、会議名や参加メンバをキーにしてプロジェクトシステムが管理する作業予定データや文書管理システムが管理する事前資料や会議議事録にアクセスできる。さらに会議の開催日に依存するタイミングで作業者に事前資料や会議議事録の作成を促すことができる。
【図面の簡単な説明】
【図１】実施例のシステムの構成を示す図である。
【図２】ユーザ・施設管理データベースのユーザ情報のデータ構成例を示す図である。
【図３】ユーザ・施設管理データベースの施設情報のデータ構成例を示す図である。
【図４】作業予定データベースのデータ構成例を示す図である。
【図５】会議情報データベースのデータ構成例を示す図である。
【図６】スケジュールデータベースのデータ構成例を示す図である。
【図７】文書データベースのデータ構成例を示す図である。
【図８】議事録テンプレートの例を示す図である。
【図９】作業予定データベース及び会議情報データベースを作成する処理手順を示す図である。
【図１０】会議情報からスケジュールを予約する処理手順を示す図である。
【図１１】事前資料を文書管理システムに登録する処理手順を示す図である。
【図１２】議事録を文書管理システムに登録する処理手順を示す図である。
【図１３】作業予定及び文書を検索する処理手順を示す図である。
【符号の説明】
１０５：　プロジェクト管理システム、１０６：スケジュール管理システム、１０７：文書管理システム、１０８：作業予定データベース、１０９：会議情報データベース、１１０：ユーザ・施設管理データベース、１１１：スケジュールデータベース、１１２：文書データベース、１２０：作業予定管理部、１２２：予約実行・管理部、１２３：スケジュール調整部。
【図１】
2004062740.tif 000003
【図２】
2004062740.tif 000004
【図３】
2004062740.tif 000005
【図４】
2004062740.tif 000006
【図５】
2004062740.tif 000007
【図６】
2004062740.tif 000008
【図７】
2004062740.tif 000009
【図８】
2004062740.tif 000010
【図９】
2004062740.tif 000011
【図１０】
2004062740.tif 000012
【図１１】
2004062740.tif 000013
【図１２】
2004062740.tif 000014
【図１３】
2004062740.tif 000015